【手続補正書】
【提出日】平成19年7月13日(2007.7.13)
【手続補正１】
【補正対象書類名】特許請求の範囲
【補正対象項目名】請求項１
【補正方法】変更
【補正の内容】
【請求項１】
ＩＰネットワークに接続され親子電話の親機として機能するＩＰ電話装置と、前記ＩＰ電話装置に割り当てられた電話番号に対応する着信音情報を登録し前記ＩＰ電話装置からの要求に応じて当該着信音情報を応答するＷｅｂサーバと、前記Ｗｅｂサーバに登録された着信音情報へのリンク情報がＵＲＩに指定されたＮＡＰＴＲリソースレコードを登録し前記ＩＰ電話装置の問合せに応じて当該ＮＡＰＴＲリソースレコードを返送するＥＮＵＭサーバと、を具備するＩＰ電話システムであって、着信を受けたＩＰ電話装置は、着信対象の電話番号に応じてＮＡＰＴＲリソースレコードを前記ＥＮＵＭサーバに問い合わせ、返送されたＮＡＰＴＲリソースレコードのＵＲＩに指定されたリンク情報に基づいて前記着信対象の電話番号に対応する着信音情報を前記Ｗｅｂサーバに要求し、返送された着信音情報に応じて着信音を装置本体及びこれに接続される子機で鳴動することを特徴とするＩＰ電話システム。
【手続補正２】
【補正対象書類名】特許請求の範囲
【補正対象項目名】請求項４
【補正方法】変更
【補正の内容】
【請求項４】
ＩＰネットワーク上のＩＰ電話装置に割り当てられた電話番号に対応する着信音情報を登録するＷｅｂサーバ及び前記Ｗｅｂサーバに登録された着信音情報へのリンク情報がＵＲＩに指定されたＮＡＰＴＲリソースレコードを登録するＥＮＵＭサーバに接続され親子電話の親機として機能するＩＰ電話装置であって、ＩＰネットワーク上の他のＩＰ電話装置から着信を受けると、着信対象の電話番号に応じてＮＡＰＴＲリソースレコードを前記ＥＮＵＭサーバに問い合わせる問合せ手段と、返送されたＮＡＰＴＲリソースレコードのＵＲＩに指定されたリンク情報に基づいて前記着信対象の電話番号に対応する着信音情報を前記Ｗｅｂサーバに要求する要求手段と、返送された着信音情報を接続される子機に送出する送出手段と、前記返送された着信音情報に応じて着信音を鳴動する鳴動手段と、を具備することを特徴とするＩＰ電話装置。
【手続補正３】
【補正対象書類名】特許請求の範囲
【補正対象項目名】請求項７
【補正方法】変更
【補正の内容】
【請求項７】
ＩＰネットワーク上のＩＰ電話装置に割り当てられた電話番号に対応する着信音情報を登録するＷｅｂサーバ及び前記Ｗｅｂサーバに登録された着信音情報へのリンク情報がＵＲＩに指定されたＮＡＰＴＲリソースレコードを登録するＥＮＵＭサーバに接続され親子電話の親機として機能するＩＰ電話装置を用いた宛先ユーザ識別方法であって、ＩＰネットワーク上の他のＩＰ電話装置から着信を受けると、着信対象の電話番号に応じてＮＡＰＴＲリソースレコードを前記ＥＮＵＭサーバに問い合わせ、返送されたＮＡＰＴＲリソースレコードのＵＲＩに指定されたリンク情報に基づいて前記着信対象の電話番号に対応する着信音情報を前記Ｗｅｂサーバに要求し、返送された着信音情報に応じて着信音を装置本体及びこれに接続される子機で鳴動することを特徴とする宛先ユーザ識別方法。
【手続補正４】
【補正対象書類名】明細書
【補正対象項目名】０００７
【補正方法】変更
【補正の内容】
【０００７】
ＩＰネットワークに接続され親子電話の親機として機能するＩＰ電話装置と、前記ＩＰ電話装置に割り当てられた電話番号に対応する着信音情報を登録し前記ＩＰ電話装置からの要求に応じて当該着信音情報を応答するＷｅｂサーバと、前記Ｗｅｂサーバに登録された着信音情報へのリンク情報がＵＲＩに指定されたＮＡＰＴＲリソースレコードを登録し前記ＩＰ電話装置の問合せに応じて当該ＮＡＰＴＲリソースレコードを返送するＥＮＵＭサーバと、を具備するＩＰ電話システムであって、着信を受けたＩＰ電話装置は、着信対象の電話番号に応じてＮＡＰＴＲリソースレコードを前記ＥＮＵＭサーバに問い合わせ、返送されたＮＡＰＴＲリソースレコードのＵＲＩに指定されたリンク情報に基づいて前記着信対象の電話番号に対応する着信音情報を前記Ｗｅｂサーバに要求し、返送された着信音情報に応じて着信音を装置本体及びこれに接続される子機で鳴動するようにしたものである。
【手続補正５】
【補正対象書類名】明細書
【補正対象項目名】０００９
【補正方法】変更
【補正の内容】
【０００９】
本発明の第１の態様に係るＩＰ電話システムは、ＩＰネットワークに接続され親子電話の親機として機能するＩＰ電話装置と、前記ＩＰ電話装置に割り当てられた電話番号に対応する着信音情報を登録し前記ＩＰ電話装置からの要求に応じて当該着信音情報を応答するＷｅｂサーバと、前記Ｗｅｂサーバに登録された着信音情報へのリンク情報がＵＲＩに指定されたＮＡＰＴＲリソースレコードを登録し前記ＩＰ電話装置の問合せに応じて当該ＮＡＰＴＲリソースレコードを返送するＥＮＵＭサーバと、を具備するＩＰ電話システムであって、着信を受けたＩＰ電話装置は、着信対象の電話番号に応じてＮＡＰＴＲリソースレコードを前記ＥＮＵＭサーバに問い合わせ、返送されたＮＡＰＴＲリソースレコードのＵＲＩに指定されたリンク情報に基づいて前記着信対象の電話番号に対応する着信音情報を前記Ｗｅｂサーバに要求し、返送された着信音情報に応じて着信音を装置本体及びこれに接続される子機で鳴動する構成を採る。
【手続補正６】
【補正対象書類名】明細書
【補正対象項目名】００１５
【補正方法】変更
【補正の内容】
【００１５】
本発明の第４の態様に係るＩＰ電話装置は、ＩＰネットワーク上のＩＰ電話装置に割り当てられた電話番号に対応する着信音情報を登録するＷｅｂサーバ及び前記Ｗｅｂサーバに登録された着信音情報へのリンク情報がＵＲＩに指定されたＮＡＰＴＲリソースレコードを登録するＥＮＵＭサーバに接続され親子電話の親機として機能するＩＰ電話装置であって、ＩＰネットワーク上の他のＩＰ電話装置から着信を受けると、着信対象の電話番号に応じてＮＡＰＴＲリソースレコードを前記ＥＮＵＭサーバに問い合わせる問合せ手段と、返送されたＮＡＰＴＲリソースレコードのＵＲＩに指定されたリンク情報に基づいて前記着信対象の電話番号に対応する着信音情報を前記Ｗｅｂサーバに要求する要求手段と、返送された着信音情報を接続される子機に送出する送出手段と、前記返送された着信音情報に応じて着信音を鳴動する鳴動手段と、を具備する構成を採る。
【手続補正７】
【補正対象書類名】明細書
【補正対象項目名】００２１
【補正方法】変更
【補正の内容】
【００２１】
本発明の第７の態様に係る宛先ユーザ識別方法は、ＩＰネットワーク上のＩＰ電話装置に割り当てられた電話番号に対応する着信音情報を登録するＷｅｂサーバ及び前記Ｗｅｂサーバに登録された着信音情報へのリンク情報がＵＲＩに指定されたＮＡＰＴＲリソースレコードを登録するＥＮＵＭサーバに接続され親子電話の親機として機能するＩＰ電話装置を用いた宛先ユーザ識別方法であって、ＩＰネットワーク上の他のＩＰ電話装置から着信を受けると、着信対象の電話番号に応じてＮＡＰＴＲリソースレコードを前記ＥＮＵＭサーバに問い合わせ、返送されたＮＡＰＴＲリソースレコードのＵＲＩに指定されたリンク情報に基づいて前記着信対象の電話番号に対応する着信音情報を前記Ｗｅｂサーバに要求し、返送された着信音情報に応じて着信音を装置本体及びこれに接続される子機で鳴動するものである。
【手続補正８】
【補正対象書類名】明細書
【補正対象項目名】００６９
【補正方法】変更
【補正の内容】
【００６９】
ＮＡＰＴＲ問合せを受け付けると、ＥＮＵＭサーバ１０３は、ドメイン名である「１．１．１．１．４．３．２．１．０．５．１．８．ｅ１６４．ａｒｐａ」に対応するＮＡＰＴＲレコードを検索し、当該ＮＡＰＴＲレコードを含む応答をＩＰ電話１０１に返送する（ＳＴ９０２）。以下、適宜、このＮＡＰＴＲレコードを含む応答を「ＮＡＰＴＲ応答」という。この場合、ＥＮＵＭサーバ１０３は、図６に示すＮＡＰＴＲレコードのうち、最上段のドメイン名に属する２つのＮＡＰＴＲレコードを検索し、当該ＮＡＰＴＲレコードを含む応答をＩＰ電話１０１に返信する。
【手続補正９】
【補正対象書類名】明細書
【補正対象項目名】００７８
【補正方法】変更
【補正の内容】
【００７８】
ＮＡＰＴＲ問合せを受け付けると、ＥＮＵＭサーバ１０３は、ドメイン名である「１．１．１．１．４．３．２．１．０．５．１．８．ｅ１６４．ａｒｐａ」に対応するＮＡＰＴＲレコードを検索し、当該ＮＡＰＴＲレコードを含む応答をＩＰ電話１０２に返信する（ＳＴ９０７）。この場合、ＥＮＵＭサーバ１０３は、ＳＴ９０２における処理と同様に、図６に示すＮＡＰＴＲレコードのうち、最上段のドメイン名に属する２つのＮＡＰＴＲレコードを検索し、当該ＮＡＰＴＲレコードを含むＮＡＰＴＲ応答をＩＰ電話１０２に返信する。